(57)【要約】【課題】  一度に多くの情報を提示する。【解決手段】  ファクシミリ１０は、スキャナ３６と、通信装置１６と、出力装置と、センサと、ＲＯＭおよびＲＡＭと、制御装置と、シートフィーダ１４と、プロジェクタ２４とを含む。スキャナ３６は、情報を信号に変換する。通信装置１６は、信号により、情報を通信する。出力装置は、通信装置１６が受信した情報を表わす文字などを印刷する。センサは事象を検出する。ＲＯＭおよびＲＡＭは情報を記憶する。制御装置は、ＲＯＭおよびＲＡＭが記憶する情報のうち、センサが検出した事象に対応する情報を読出す。シートフィーダ１４はシートを置く。プロジェクタ２４は、シートフィーダ１４およびシートフィーダ１４に置いたシートのいずれかに、図形を含む文章を映写する。【選択図】        図１
2007081954.tif 000002
【特許請求の範囲】
【請求項１】
文字および図形のいずれかで表わした情報を信号に変換するための変換手段と、
信号により、情報を通信するための通信手段と、
前記通信手段が受信した情報を表わす、文字および図形のいずれかを印刷するための印刷手段と、
事象を検出するための検出手段と、
情報を記憶するための記憶手段と、
前記記憶手段が記憶する情報のうち、前記検出手段が検出した事象に対応する情報を読出すための読出手段と、
前記読出手段が読出した情報を表わす文字および図形のいずれかを映写するための映写手段とを含むシート記録装置。
【請求項２】
前記映写手段は、文書を映写するための手段を含む、請求項１に記載のシート記録装置。
【請求項３】
前記文書を映写するための手段は、図形を含む文書を映写するための手段を含む、請求項２に記載のシート記録装置。
【請求項４】
前記検出手段は、ユーザの入力により、異常を検出するための手段を含み、
前記読出手段は、前記ユーザの入力に対応する情報を読出すための手段を含む、請求項１に記載のシート記録装置。
【請求項５】
前記検出手段は、異常を検出するための手段を含む、請求項１に記載のシート記録装置。
【請求項６】
前記異常を検出するための手段は、動作に関する異常を検出するための手段を含む、請求項５に記載のシート記録装置。
【請求項７】
前記シート記録装置は、前記読出手段が読出した情報を表わす文字を表示するための表示手段をさらに含む、請求項１に記載のシート記録装置。
【請求項８】
前記検出手段は、ユーザの操作を検出するための手段を含み、
前記読出手段は、前記ユーザの操作に続く操作の方法を表わす情報を読出すための手段を含む、請求項１に記載のシート記録装置。
【請求項９】
前記シート記録装置はシートを置く給紙トレイをさらに含み、
前記映写手段は、前記給紙トレイおよび給紙トレイに置いたシートのいずれかに、前記検出手段が検出した事象に対応する情報を表わす、文字および図形のいずれかを映写するための手段を含む、請求項１に記載のシート記録装置。
【請求項１０】
前記給紙トレイは、少なくとも一部が平面を保つようにシートを置く給紙トレイを含み、
前記文字および図形のいずれかを映写するための手段は、前記給紙トレイに置いたシートの平面に、前記文字および図形のいずれかを映写するための手段を含む、請求項９に記載のシート記録装置。
【請求項１１】
前記少なくとも一部が平面を保つようにシートを置く給紙トレイは、前記シートに接する部分が板である給紙トレイを含む、請求項１０に記載のシート記録装置。
【請求項１２】
前記給紙トレイは、少なくとも一部が板である給紙トレイを含み、
前記映写手段は、前記給紙トレイの板に、前記文字および図形のいずれかを映写するための手段を含む、請求項９に記載のシート記録装置。
【請求項１３】
前記給紙トレイは、前記変換手段に供給するように、文字および図形のいずれかを記載したシートを置く給紙トレイを含む、請求項９に記載のシート記録装置。
【発明の詳細な説明】
【技術分野】
【０００１】
本発明は、シート記録装置に関し、特に、筐体に対する各部の配置に特徴があるシート記録装置に関する。
【背景技術】
【０００２】
従来のファクシミリは、紙の供給装置と、通信装置と、印刷装置と、操作装置と、表示装置とを含む。
【０００３】
この発明によると、ユーザがファクシミリを操作するために必要な情報を、表示装置が表示できる。
【０００４】
なお、以上本発明についての従来の技術を、出願人の知得した一般的技術情報に基づいて説明したが、出願人の記憶する範囲において、出願前までに先行技術文献情報として開示すべき情報を出願人は有していない。
【発明の開示】
【発明が解決しようとする課題】
【０００５】
しかしながら、従来のファクシミリその他シート記録装置には、シート記録装置を操作するために必要な情報を、ユーザが解りやすい形態で表示することが難しいという問題点がある。シート記録装置の大型化やコストの高騰を防止するためには、表示装置の表示面を小型化する必要があったためである。このことは、従来のシート記録装置が一度に多くの情報を提示できないことを意味する。
【０００６】
本発明は上述の問題点を解決するためになされたものであって、その目的は、一度に多くの情報を提示できるシート記録装置を提供することにある。
【課題を解決するための手段】
【０００７】
上記目的を達成するために、本発明のある局面に従うと、シート記録装置は、変換手段と、通信手段と、印刷手段と、検出手段と、記憶手段と、読出手段と、映写手段とを含む。変換手段は、文字および図形のいずれかで表わした情報を信号に変換する。通信手段は、信号により、情報を通信する。印刷手段は、通信手段が受信した情報を表わす、文字および図形のいずれかを印刷する。検出手段は事象を検出する。記憶手段は情報を記憶する。読出手段は、記憶手段が記憶する情報のうち、検出手段が検出した事象に対応する情報を読出す。映写手段は、読出手段が読出した情報を表わす文字および図形のいずれかを映写する。
【０００８】
また、上述の映写手段は、文章を映写するための手段を含むことが望ましい。
もしくは文章を映写するための手段は、図形を含む文章を映写するための手段を含むことが望ましい。
【０００９】
また、上述の検出手段は、ユーザの入力により、異常を検出するための手段を含むことが望ましい。併せて、読出手段は、ユーザの入力に対応する情報を読出すための手段を含むことが望ましい。
【００１０】
また、上述の検出手段は、異常を検出するための手段を含むことが望ましい。
もしくは、上述の異常を検出するための手段は、動作に関する異常を検出するための手段を含むことが望ましい。
【００１１】
また、上述のシート記録装置は、読出手段が読出した情報を表わす文字を表示するための表示手段をさらに含むことが望ましい。
【００１２】
また、上述の検出手段は、ユーザの操作を検出するための手段を含むことが望ましい。併せて、読出手段は、ユーザの操作に続く操作の方法を表わす情報を読出すための手段を含むことが望ましい。
【００１３】
また、上述のシート記録装置は、シートを置く給紙トレイをさらに含むことが望ましい。併せて、映写手段は、給紙トレイおよび給紙トレイに置いたシートのいずれかに、検出手段が検出した事象に対応する情報を表わす、文字および図形のいずれかを映写するための手段を含むことが望ましい。
【００１４】
もしくは、上述の給紙トレイは、少なくとも一部が平面を保つようにシートを置く給紙トレイを含むことが望ましい。併せて、文字および図形のいずれかを映写するための手段は、給紙トレイに置いたシートの平面に、文字および図形のいずれかを映写するための手段を含むことが望ましい。
【００１５】
もしくは、上述の少なくとも一部が平面を保つようにシートを置く給紙トレイは、シートに接する部分が板である給紙トレイを含むことが望ましい。
【００１６】
もしくは、上述の給紙トレイは、少なくとも一部が板である給紙トレイを含むことが望ましい。併せて、映写手段は、給紙トレイの板に、文字および図形のいずれかを映写するための手段を含むことが望ましい。
【００１７】
もしくは、上述の給紙トレイは、変換手段に供給するように、文字および図形のいずれかを記載したシートを置く給紙トレイを含むことが望ましい。
【発明の効果】
【００１８】
本発明に係るシート記録装置は、一度に多くの情報を提示できる。
【発明を実施するための最良の形態】
【００１９】
以下、図面を参照しつつ、本発明の実施の形態について説明する。以下の説明では、同一の部品には同一の符号を付してある。それらの名称および機能も同一である。したがって、それらについての詳細な説明は繰返さない。
【００２０】
＜第１の実施の形態＞
以下、本発明の第１の実施の形態にかかるファクシミリについて説明する。
【００２１】
図１は、本実施の形態に係るファクシミリの外観図である。図２は、本実施の形態に係るファクシミリの制御ブロック図である。図１および図２を参照して、本実施の形態に係るファクシミリ１０は、本体１２と、給紙トレイ１４と、通信装置１６と、出力装置１８と、操作装置２０と、表示装置２２と、プロジェクタ２４とを含む。本体１２は、ファクシミリ１０が機能を発揮するためのさまざまな動作を実施する。給紙トレイ１４は、紙を置く物である。本実施の形態に係る給紙トレイ１４は、後述するスキャナ３６に供給するように、文字および図形のいずれかを記載した紙である原稿を置くトレイである。給紙トレイ１４は、少なくとも一部が平面を保つように原稿を置くことができる。図１から明らかなように、給紙トレイ１４の原稿に接する部分が板であるためである。通信装置１６は、他のファクシミリとの間で、信号により、情報を通信する。出力装置１８は、通信装置１６が受信した情報を表わす、文字および図形のいずれかを印刷する。操作装置２０は、ユーザが情報や指令を入力する装置である。表示装置２２は、後述する制御装置３８が読出した情報を表わす文字を表示する。プロジェクタ２４は、制御装置３８が読出した情報を表わす文字および図形のいずれかを映写する装置である。
【００２２】
本体１２は、センサ３０と、ＲＯＭ（Read Only Memory）３２と、ＲＡＭ（Random Access Memory）３４と、スキャナ３６と、制御装置３８とを含む。センサ３０は、動作に関する事象を検出する。本実施の形態の場合、センサ３０は、原稿がセットされているか否かを検出するセンサと、送信に関する異常を検出するセンサとを含む。本実施の形態における「送信に関する異常を検出するセンサ」は、通信が可能か否かを検出するセンサである。ＲＯＭ３２は、ファクシミリ１０についての取扱の説明その他必要な情報を記憶する。ＲＡＭ３４は、文書などを受信した回数その他ユーザが購入後に変更可能な情報やユーザ以外の者の電話番号などの情報を記憶する。スキャナ３６は、原稿が表わす文字および図形のいずれかで表わした情報を信号に変換する装置である。制御装置３８は、ファクシミリ１０の各部を制御する装置である。制御装置３８は、ＲＯＭ３２およびＲＡＭ３４が記憶する情報のうち、操作装置２０およびセンサ３０が検出した事象に対応する情報を読出す装置でもある。
【００２３】
図３を参照して、ファクシミリ１０で実行されるプログラムは、画像の映写に関し、以下の制御を実行する。
【００２４】
ステップ４０（以下ステップをＳと略す。）にて、制御装置３８は、センサ３０および操作装置２０からの信号を受信する。
【００２５】
Ｓ４２にて、制御装置３８は、センサ３０および操作装置２０からの信号を解析する。信号が解析されると、制御装置３８は、自らが解析した信号の内容に基づき、異常が発生したか否かを判断する。異常が発生したと判断した場合には（Ｓ４２にてＹＥＳ）、処理はＳ４４へと移される。もしそうでないと（Ｓ４２にてＮＯ）、処理はＳ４０へと移される。
【００２６】
Ｓ４４にて、制御装置３８は、自らが解析した信号の内容に基づき、ＲＯＭ３２およびＲＡＭ３４が記憶する情報のうち、操作装置２０のヘルプキーおよびセンサ３０のいずれかが検出した異常に対応する画像の情報を読出す。ユーザが操作できないという事態は異常の一種なので、ヘルプキーは異常をユーザ自身の操作により検出する装置と言える。
【００２７】
Ｓ４６にて、制御装置３８は自らが読出した情報をプロジェクタ２４に出力する。プロジェクタ２４は、制御装置３８が読出した情報が表わす文字および図形のいずれかを映写する。本実施の形態の場合、プロジェクタ２４は、給紙トレイ１４に、文字および図形のいずれかを映写する。給紙トレイ１４に原稿が設置されていない場合、プロジェクタ２４は、給紙トレイ１４の板の部分に、文字および図形のいずれかを映写する。
【００２８】
Ｓ４８にて、制御装置３８は、操作装置２０に対してユーザが入力した指令およびセンサ３０が検出した異常の有無に基づいて、映写モードを終了するか否かを判断する。本実施の形態において、「映写モード」とはプロジェクタ２４が画像を映写するモードのことである。映写モードを終了すると判断した場合には（Ｓ４８にてＹＥＳ）、処理は終了する。もしそうでないと（Ｓ４８にてＮＯ）、処理はＳ４０へと移される。
【００２９】
以上のような構造およびフローチャートに基づく、ファクシミリ１０の動作について説明する。
【００３０】
ユーザは、給紙トレイ１４に原稿をフェースダウンでセットする。本実施の形態において、「フェースダウン」とは、文字および図形のいずれかが記載された面を給紙トレイ１４に接するように向けることを意味する。図１から明らかなように、給紙トレイ１４はファクシミリ１０の上部に設けられているので、原稿はファクシミリ１０の上部にセットされることとなる。
【００３１】
給紙トレイ１４に原稿をセットした後、送信の手順を忘れたことにユーザが気づいたとする。ユーザは操作装置２０のヘルプキーを操作する。操作装置２０およびセンサ３０は周期的に信号を制御装置３８に送信している。ユーザが操作装置２０のヘルプキーを操作したので、操作装置２０のヘルプキーは、ユーザの入力により、送信方法がわからないという異常を検出したことになる。操作装置２０が送信する信号の内容は、そのような異常が発生していることを表わす内容に変化する。制御装置３８は、操作装置２０からの信号を受信する（Ｓ４０）。
【００３２】
信号が受信されると、制御装置３８は、自らが解析した信号の内容に基づき、異常の発生があったか否かを判断する（Ｓ４２）。この場合、異常が発生しているので（Ｓ４２にてＹＥＳ）、制御装置３８は、画像の情報を読出す（Ｓ４４）。読出される画像の情報は、ヘルプキーに対するユーザの入力に対応する情報である。この時点では、制御装置３８は「送信方法がわからない」という異常の内容を知ることができないので、取扱の説明の文章を表わす画像の情報を読出す。
【００３３】
画像の情報が読出されると、制御装置３８は読出した情報をプロジェクタ２４に送信する。プロジェクタ２４は、給紙トレイ１４に置いた原稿の平面に、取扱の説明の文書を映写する（Ｓ４６）。
【００３４】
画像が映写されると、制御装置３８は、映写モードを終了するか否かを判断する（Ｓ４８）。この場合、まだ映写モードを終了しないので（Ｓ４８にてＮＯ）、制御装置３８は、再びセンサ３０および操作装置２０からの信号を受信する（Ｓ４０）。
【００３５】
この間、プロジェクタ２４が映写した情報に基づきユーザは送信の方法を説明する画像を映写するように操作装置２０を操作していることとする。制御装置３８は、自らが解析した信号の内容に基づき、異常の発生があったか否かを判断する（Ｓ４２）。ヘルプキーが押された後の操作の内容は異常が発生したままであることを表わすので（Ｓ４２にてＹＥＳ）、制御装置３８は、画像の情報を読出す（Ｓ４４）。読出される画像の情報は、操作装置２０に対するユーザの入力に対応する情報である。これにより、制御装置３８は送信の方法を説明する画像の情報を読出す。
【００３６】
画像の情報が読出されると、制御装置３８は読出した情報をプロジェクタ２４に送信する。プロジェクタ２４は、給紙トレイ１４に置いた原稿の平面に、送信の方法を説明する文書を映写する（Ｓ４６）。
【００３７】
図４は、このようにして映写された文書の一例を表わす図である。実際のファクシミリ１０の形状、ボタンの形状、表示装置２２の表示例などの図形を含む文書が映写されている。これにより、プロジェクタ２４は、給紙トレイ１４に置いた原稿に、操作装置２０のヘルプキーが検出した異常に対応する情報を表わす、文字および図形のいずれかを映写することとなる。
【００３８】
画像が映写されると、制御装置３８は、映写モードを終了するか否かを判断する（Ｓ４８）。この場合、まだ映写モードを終了しないので（Ｓ４８にてＮＯ）、制御装置３８は、再びセンサ３０および操作装置２０からの信号を受信する。
【００３９】
以上のようにして、本実施の形態に係るファクシミリは、給紙トレイおよび給紙トレイに置いた原稿のいずれかに、文字および図形のいずれかの画像を映写する。
【００４０】
従来、取扱の説明などを表示するためには、表示装置が用いられていた。情報量が限られるので、ユーザが取扱説明書を見ることなく取得できる情報量は少ない。取得できる情報量が少ないので、従来の場合、操作が分からなければユーザは取扱説明書を取出したり、音声や表示装置による案内を受けたりする。取扱説明書で目次からいちいち操作方法を検索することは煩わしい。煩わしいのでユーザが取扱説明書を見ないことがある。音声や表示装置による案内は言葉だけの案内になりがちである。コストや筐体の大きさなどから受ける制約のために、表示装置の表示できる情報量が限られているためである。言葉だけの案内になると、実際のファクシミリの形状、ボタンの形状、表示装置の表示例などを示しつつ説明することができない。表示例などを示した説明ができないことは、ユーザにとって不利益である。
【００４１】
上述したように、本実施の形態に係るファクシミリは、取扱の説明を映写できるので、ユーザに対し一度に多くの情報を提供できる。一度に多くの情報が提供されるので、ユーザは、あまり取扱説明書を見ることなく操作を継続できる。操作が継続できるので、ユーザは目的を達成できる。目的が達成されるので、ユーザからメーカへの問合せの回数が減少する。問合せの回数が減少するので、問合せの応対にメーカが費やすコストは減少する。コストが減少するので、ファクシミリのコストも減少し得る。その結果、一度に多くの情報を提示でき、かつコストが低いファクシミリを提供することができる。
【００４２】
また、本実施の形態に係るファクシミリのプロジェクタは、文章を映写する。これにより、ユーザに対し文章として一度に多くの情報を提供できる。
【００４３】
もしくは、本実施の形態に係るファクシミリのプロジェクタは、図形を含む文章を映写する。これにより、ユーザに対し図形を含む文章として情報を提供するので、ユーザが容易に理解できる情報を提供できる。
【００４４】
また、本実施の形態に係るファクシミリの操作装置は、ユーザの入力により、異常を検出する。制御装置は、ユーザの入力に対応する情報を読出す。これにより、本実施の形態に係るファクシミリは、ユーザに対しユーザの希望に叶う情報を提供できる。
【００４５】
また、本実施の形態に係るファクシミリのセンサは、異常を検出する。これにより、本実施の形態に係るファクシミリは、異常を早期に解消するための情報を容易に提供できる。
【００４６】
もしくは、本実施の形態に係るファクシミリのセンサは、動作に関する異常を検出する。動作に関する異常に対する適切な情報は表示装置にとって提供し難い情報の一種である。敢えてこれを提供しようとする場合、従来のファクシミリは、複数のセンサの情報に基づき、表示する情報を時系列で変更している。本実施の形態に係るファクシミリは、動作に関する異常を早期に解消するための情報を容易に提供できる。
【００４７】
また、本実施の形態に係るプロジェクタは、給紙トレイおよび給紙トレイに置いた原稿のいずれかに、センサが検出した事象に対応する情報を表わす、文字および図形のいずれかを映写する。これにより、ファクシミリの設置場所に制約を受けることなく情報を映写でき、かつ制約を受けることなく情報を映写するためのコストを抑えることができる。
【００４８】
もしくは、本実施の形態に係る給紙トレイは、少なくとも一部が平面を保つように原稿を置く。併せて、本実施の形態に係るプロジェクタは、給紙トレイに置いた原稿の平面に、文字および図形のいずれかを映写する。これにより、本実施の形態に係るファクシミリは、簡単な構造で鮮明な映像により情報を提供することができる。
【００４９】
もしくは、本実施の形態に係る給紙トレイは、少なくとも一部が板である。具体的に説明すると、本実施の形態に係る給紙トレイは、原稿に接する部分が板である。給紙トレイの一部が板であるので、給紙トレイの製造に要するコストを低下させることができる。併せて、本実施の形態に係るプロジェクタは、給紙トレイの板に、文字および図形のいずれかを映写する。これにより、本実施の形態に係るファクシミリは、簡単な構造で鮮明な映像により情報を提供することができる。
【００５０】
もしくは、本実施の形態に係る給紙トレイは、スキャナに供給するように、文字および図形のいずれかを記載した原稿を置く。スキャナに原稿を供給するための給紙トレイあるいはその給紙トレイに置かれた原稿に情報が映写されるので、情報の映写のためのコストを抑えることができる。
【００５１】
また、本実施の形態に係るファクシミリのセンサは、制御装置が読出した情報を表わす文字を表示する表示装置をさらに含むので、プロジェクタと共に、ユーザに対し多様な方法で情報を提供できる。
【００５２】
なお、変形例として、制御装置３８は、操作装置２０の機能ボタンが押されたときに、ＲＯＭ３２が記憶した機能の一覧を表わす画像の情報を読出し、プロジェクタ２４に出力してもよい。
【００５３】
また、変形例として、制御装置３８は、操作装置２０を介したユーザの指令があると、ＲＡＭ３４が記憶した電話番号を読出してもよい。この場合、プロジェクタ２４は、制御装置３８が読出した情報に基づき、電話番号を表わす画像の情報を作成し、作成した画像の情報を映写してもよい。
【００５４】
また、変形例として、制御装置３８は、センサ３０が検出した異常の内容に応じ、対処方法の情報をＲＯＭ３２から読出してもよい。
【００５５】
また、変形例として、制御装置３８は、ユーザが操作装置２０に入力した指令に応じ、再発信の回数や受信の回数を表わす画像の情報を作成し、作成した情報をプロジェクタ２４に送信してもよい。
【００５６】
また、変形例として、センサ３０は、記録紙切れ、筐体のカバーの開閉、オンフックか否か、インクあるいはインクリボンの欠如などを検出するセンサを含んでもよい。
【００５７】
また、変形例として、プロジェクタ２４は、給紙トレイ１４に置いた原稿および給紙トレイ１４以外の物に文字および図形のいずれかの画像を映写してもよい。この場合、ファクシミリ１０の背面の壁などにそれらの画像を映写してもよい。壁などにそれらの画像を映写する場合、給紙トレイ１４は必ずしも必要ではない。
【００５８】
また、変形例として、プリンタなどの紙記録装置が上述のファクシミリ１０と同様に動作してもよい。「紙記録装置」とは、装置の外部から入力された情報を紙に記録する装置を指す。プリンタ以外の紙記録装置には、ファクシミリの機能とプリンタの機能とを備える複合機や、コピー機が含まれる。ファクシミリ１０に代わる紙記録装置は、給紙トレイを有する装置であることが望ましい。給紙トレイあるいは給紙トレイが供給する紙に映像を映写できるためである。
【００５９】
また、変形例として、プロジェクタ２４は、出力装置１８の一部であり、かつ出力装置１８が印刷に用いる紙を置く給紙トレイに、制御装置３８が読出した情報を表わす文字および図形のいずれかを映写する装置であってもよい。
【００６０】
また、変形例として、給紙トレイ１４は、紙以外のシートを置く物であってもよい。「シート」は、紙その他の物であって、平面を有し、かつその平面に文字および図形のいずれかを記載できる物である。
【００６１】
＜第２の実施の形態＞
以下、本発明の第２の実施の形態にかかるファクシミリについて説明する。
【００６２】
本実施の形態に係るファクシミリ１０のハードウェア構成については前述の第１の実施の形態と同じである。それらについての機能も同じである。したがって、それらについての詳細な説明はここでは繰返さない。
【００６３】
図５を参照して、ファクシミリ１０で実行されるプログラムは、画像の映写に関し、以下のような制御構造を有する。なお、図５に示すフローチャートの中で、前述の図３に示した処理は同じステップ番号を付してある。それらの処理も同じである。したがって、それらについての詳細な説明はここでは繰返さない。
【００６４】
Ｓ６０にて、制御装置３８は、センサ３０からの信号を受信する。第１の実施の形態と同様に、センサ３０は、原稿がセットされているか否かを検出するセンサと、送信に関する異常を検出するセンサとを含む。原稿がセットされているか否かを検出するセンサは、ユーザが原稿をセットしたという操作を検出できる。
【００６５】
Ｓ６２にて、制御装置３８は、センサ３０からの信号を解析する。信号が解析されると、制御装置３８は、自らが解析した信号の内容に基づき、ユーザの操作があったか否かを判断する。ユーザの操作があったと判断した場合には（Ｓ６２にてＹＥＳ）、処理はＳ６４へと移される。もしそうでないと（Ｓ６２にてＮＯ）、処理はＳ６０へと移される。
【００６６】
Ｓ６４にて、制御装置３８は、自らが解析した信号の内容に基づき、ＲＯＭ３２およびＲＡＭ３４が記憶する情報のうち、センサ３０が検出したユーザの操作に続く操作の方法を表わす情報を読出す。本実施の形態の場合、制御装置３８は、そのような操作の方法を表わす情報として、送信の方法を表わす情報を読出す。
【００６７】
以上のような構造およびフローチャートに基づく、ファクシミリ１０の動作について説明する。
【００６８】
制御装置３８は、センサ３０からの信号を受信する。本実施の形態の場合、センサ３０は、原稿がセットされているか否かを検出するセンサと、送信に関する異常を検出するセンサとを含む。原稿がセットされているか否かを検出するセンサは、ユーザが原稿をセットしたという操作を検出できる（Ｓ６０）。
【００６９】
信号が受信されると、制御装置３８は、センサ３０からの信号を解析する。信号が解析されると、制御装置３８は、自らが解析した信号の内容に基づき、ユーザの操作があったか否かを判断する（Ｓ６２）。この場合、ユーザが原稿をセットしていたとすると（Ｓ６２にてＹＥＳ）、制御装置３８は、送信の方法を表わす情報を読出す（Ｓ６４）。
【００７０】
情報が読出されると、制御装置３８は読出した情報をプロジェクタ２４に送信する。プロジェクタ２４は、給紙トレイ１４に置いた原稿の平面に、送信の方法の文書を映写する（Ｓ４６）。図６は、このようにして映写された状況の一例を表わす図である。
【００７１】
上述したように、本実施の形態に係るファクシミリは、ある操作に続く操作の説明を映写できるので、ユーザに対しユーザが必要とする情報を一度に多く提供できる。本実施の形態の場合、ファクシミリは、「ユーザが必要とする情報」としてユーザが次に何をすればよいかを表わす情報を提供できる。ユーザが必要とする情報が一度に多く提供されるので、ユーザは、あまり取扱説明書を見ることなく操作を継続できる。操作が継続できるので、ユーザは目的を達成できる。目的が達成されるので、ユーザからメーカへの問合せの回数が減少する。問合せの回数が減少するので、問合せの応対にメーカが費やすコストは減少する。コストが減少するので、ファクシミリのコストも減少し得る。ユーザが必要とする情報が一度に多く提供されるので、ユーザの利便性が向上する。その結果、ユーザが必要とする情報を一度に多く提示できることで、利便性が向上しかつコストが低いファクシミリを提供することができる。
【００７２】
また、変形例として、給紙トレイ１４に原稿が置かれていない場合、プロジェクタ２４は、給紙トレイ１４の板の部分に、ある操作に続く操作の説明の情報を表わす、文字および図形のいずれかを映写してもよい。プロジェクタ２４は、給紙トレイ１４に置いた原稿および給紙トレイ１４以外の物に文字および図形のいずれかの画像を映写してもよい。この場合、ファクシミリ１０の背面の壁などにそれらの画像を映写してもよい。壁などにそれらの画像を映写する場合、給紙トレイ１４は必ずしも必要ではない。
【００７３】
また、変形例として、プリンタなどの紙記録装置が上述のファクシミリ１０と同様に動作してもよい。プリンタ以外の紙記録装置には、ファクシミリの機能とプリンタの機能とを備える複合機や、コピー機が含まれる。ファクシミリ１０に代わる紙記録装置は、給紙トレイを有する装置であることが望ましい。給紙トレイあるいは給紙トレイが供給する紙に映像を映写できるためである。
【００７４】
また、変形例として、プロジェクタ２４は、出力装置１８の一部であり、かつ出力装置１８が印刷に用いる紙を置く給紙トレイに、制御装置３８が読出した情報を表わす文字および図形のいずれかを映写する装置であってもよい。
【００７５】
また、変形例として、給紙トレイ１４は、紙以外のシートを置く物であってもよい。「シート」は、紙その他の物であって、平面を有し、かつその平面に文字および図形のいずれかを記載できる物である。
【００７６】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００７７】
【図１】本発明の第１の実施の形態に係るファクシミリの外観図である。
【図２】本発明の第１の実施の形態に係るファクシミリの制御ブロック図である。
【図３】本発明の第１の実施の形態に係る画像の映写処理の制御の手順を示すフローチャートである。
【図４】本発明の第１の実施の形態に係る画像が表示された時点のファクシミリを表わす図である。
【図５】本発明の第２の実施の形態に係る画像の映写処理の制御の手順を示すフローチャートである。
【図６】本発明の第２の実施の形態に係る画像が表示された時点のファクシミリを表わす図である。
【符号の説明】
【００７８】
１０  ファクシミリ、１２  本体、１４  給紙トレイ、１６  通信装置、１８  出力装置、２０  操作装置、２２  表示装置、２４  プロジェクタ、３０  センサ、３２  ＲＯＭ、３４  ＲＡＭ、３６  スキャナ、３８  制御装置。
【図１】
2007081954.tif 000003
【図２】
2007081954.tif 000004
【図３】
2007081954.tif 000005
【図４】
2007081954.tif 000006
【図５】
2007081954.tif 000007
【図６】
2007081954.tif 000008